(57)【要約】【課題】建屋内における配置が容易で、しかも作業者による作業領域を１箇所にまとめて、少ない作業者数で種籾容器の搬入と搬出などの作業を効率的に行うことができる種籾の消毒装置を提供する。【解決手段】種籾の温湯消毒装置１は、種籾を温湯に浸す温湯タンク２と、温湯に浸した種籾を冷水に浸す冷水タンク３と、種籾を収容する通水性の種籾容器４と、種籾容器４を昇降および移動させる自動搬送装置５とで構成される。温湯タンク２および冷水タンク３を自動搬送装置５による種籾容器４の移動経路に並べて配置してある。自動搬送装置５の一端側には、種籾容器４の移動経路内に種籾容器４を搬入し搬出する作業域６を設けてある。【選択図】図１
2011250807.tif 000002
【特許請求の範囲】
【請求項１】
種籾を温湯に浸して病原菌を死滅ないし不活化する種籾の温湯消毒装置であって、
種籾を温湯に浸す温湯タンクと、温湯に浸した種籾を冷水に浸す冷水タンクと、種籾を収容する通水性の種籾容器と、前記種籾容器を昇降および移動させる自動搬送装置とで構成され、前記温湯タンクおよび冷水タンクを自動搬送装置による種籾容器の移動経路に並べて配置してあり、
前記自動搬送装置の一端側に、前記種籾容器の移動経路内に種籾容器を搬入し搬出する作業域を設けてあることを特徴とする種籾の温湯消毒装置。
【請求項２】
種籾を温湯に浸して病原菌を死滅ないし不活化する種籾の温湯消毒装置であって、
種籾を温湯に浸す温湯タンクと、温湯に浸した種籾を冷水に浸す冷水タンクと、種籾を収容する通水性の種籾容器と、前記種籾容器を昇降および移動させる自動搬送装置とで構成され、前記温湯タンクおよび冷水タンクを自動搬送装置による種籾容器の移動経路に並べて配置してあり、
前記自動搬送装置は、作業域、前記温湯タンクおよび冷水タンク上に亘る単線往復経路を構成しており、前記作業域側を往路の移動始点、前記冷水タンク側を往路の移動終点とし、前記作業域側を復路の移動終点とする制御機能を備えていることを特徴とする種籾の温湯消毒装置。
【請求項３】
自動搬送装置による種籾容器の移動経路に、作業域、温湯タンクおよび冷水タンクの順に並べて配置したことを特徴とする請求項１または２記載の種籾の温湯消毒装置。
【発明の詳細な説明】
【技術分野】
【０００１】
本発明は、種籾を温湯に浸して病原菌を死滅ないし不活化する種籾の温湯消毒装置に関するものである。
【背景技術】
【０００２】
種籾には、いもち病菌、糸状菌、苗立枯細菌病菌、ごま葉枯病菌、褐条病菌、もみ枯細菌病菌などの病原菌が表面に付着しまたは籾殻と果皮との間に潜んでいる。従来、種籾を所定温度の温湯に所定時間浸すことにより、種籾の表面に付着しまたは籾殻と果皮との間に潜む病原菌を死滅ないしは不活化（以下、消毒という）する装置であって、温湯浸漬のための種籾容器に種籾を詰め込む工程、種籾を種籾容器ごと温湯に浸漬する工程、温湯漬漬した種籾を種籾容器ごと冷水に浸漬して冷却する工程、冷却した種籾を水切りして種籾容器から取り出す工程を一連処理する種籾の温湯消毒装置としては、特開２００６−４２７４５公報、特開２００６−１５８３０２公報、特開２００５−５２０２３公報および特開２００５−３２８７２３公報に記載されているものなどが知られている。
【０００３】
また、種籾を収容した種籾容器を自走クレーンで吊り下げて温湯タンクに出し入れする種籾の温湯消毒装置は、特開平１１−３１８１１８号公報または特開２００２−３２５５０５公報、特開２００３−２３５３０８公報、特開２００４−９０公報および特開２００４−２９００１１公報に記載されている。
【先行技術文献】
【特許文献】
【０００４】
【特許文献１】特開２００６−４２７４５公報
【特許文献２】特開２００６−１５８３０２公報
【特許文献３】特開２００５−５２０２３公報
【特許文献４】特開２００５−３２８７２３公報
【特許文献５】特開平１１−３１８１１８号公報
【特許文献６】特開２００２−３２５５０５公報
【特許文献７】特開２００３−２３５３０８公報
【特許文献８】特開２００４−９０公報
【特許文献９】特開２００４−２９００１１公報
【発明の概要】
【発明が解決しようとする課題】
【０００５】
前掲の特許文献１ないし４、または特許文献５ないし９に記載されている従来の種籾の温湯消毒装置においては、種籾を種籾容器に詰め込む作業を行う作業領域と、温湯消毒処理を終えた種籾を種籾容器から取り出す作業を行う作業領域が互いに反対側となるように離れているので、種籾の温湯消毒装置を設置する建屋内の配置上、２箇所にわたる作業領域と作業者がそこへ出入りするための通路やスペースなどを必要として、種籾の温湯消毒装置を設備する建屋の有効利用がはかれず、また作業領域が離れているところから、２箇所の作業領域にそれぞれ作業者の配置を要したり、また作業者の作業行動も非効率となるなどの問題点が指摘されていた。
【０００６】
そこで本発明は、このような従来の問題点を解消しようとするものであって、建屋内における配置が容易であり、少ない作業者数で種籾容器の搬入と搬出などの作業を効率的に行うことができる種籾の温湯消毒装置を提供することを目的とするものである。
【課題を解決するための手段】
【０００７】
上記目的を達成するため、本発明の第１特徴は、種籾を温湯に浸して病原菌を死滅ないし不活化する種籾の温湯消毒装置において、次のように構成することにある。
種籾を温湯に浸す温湯タンクと、温湯に浸した種籾を冷水に浸す冷水タンクと、種籾を収容する通水性の種籾容器と、種籾容器を昇降および移動させる自動搬送装置とで構成され、温湯タンクおよび冷水タンクを自動搬送装置による種籾容器の移動経路に並べて配置してあり、自動搬送装置の一端側に、種籾容器の移動経路内に種籾容器を搬入し搬出する作業域を設けている。
【０００８】
上記目的を達成するため、本発明の第２特徴は、種籾を温湯に浸して病原菌を死滅ないし不活化する種籾の温湯消毒装置において、次のように構成することにある。
種籾を温湯に浸す温湯タンクと、温湯に浸した種籾を冷水に浸す冷水タンクと、種籾を収容する通水性の種籾容器と、種籾容器を昇降および移動させる自動搬送装置とで構成され、温湯タンクおよび冷水タンクを自動搬送装置による種籾容器の移動経路に並べて配置してあり、自動搬送装置は、作業域、温湯タンクおよび冷水タンク上に亘る単線往復経路を構成しており、作業域側を往路の移動始点、冷水タンク側を往路の移動終点とし、作業域側を復路の移動終点とする制御機能を備えている。
【０００９】
本発明の第３特徴は、本発明の第１または第２特徴の種籾の温湯消毒装置において次のように構成することにある。
自動搬送装置による種籾容器の移動経路に、作業域、温湯タンクおよび冷水タンクの順に並べて配置している。
【発明の効果】
【００１０】
本発明の第１特徴によると、種籾容器を昇降および移動させる自動搬送装置の一端側に種籾容器の移動経路内に種籾容器を搬入し搬出する作業域を設けたことにより、建屋内における配置が容易で、しかも作業者による作業領域を１箇所にまとめて少ない作業者数で種籾容器の搬入と搬出などの作業を効率的に行うことができる。
【００１１】
本発明の第３特徴によると、本発明の第１特徴と同様に前項に記載の「発明の効果」を備えており、これに加えて以下のような「発明の効果」を備えている。
本発明の第３特徴によると、冷水浸漬時間よりも所要時間の長い温湯浸漬時間中に、種籾容器を種籾容器に最も離れている冷水タンクと作業域間を移動させることで、作業時間のロスを少なくすることができる。
【図面の簡単な説明】
【００１２】
【図１】本発明の一実施の形態に係る種籾の温湯消毒装置を示す全体斜視図である。
【図２】同上正面図である。
【図３】同上種籾容器を温湯タンク内に降ろした態様を示す正面図である。
【図４】本発明の実施の第１別形態に係る種籾の温湯消毒装置を示す正面図である。
【発明を実施するための形態】
【００１３】
図１は本発明の一実施の形態に係る種籾の温湯消毒装置を示す全体斜視図、図２は同上正面図、図３は同上種籾容器を温湯タンク内に降ろした態様を示す正面図、図４は本発明の他の実施の形態に係る種籾の温湯消毒装置を示す正面図である。
【００１４】
本発明に係る種籾の温湯消毒装置１は、種籾を温湯に浸す温湯タンク２と、温湯に浸した種籾を冷水に浸す冷水タンク３と、種籾を収容する通水性の種籾容器４と、種籾容器４を吊持して昇降および移動させる自動搬送装置５とで構成されている。
【００１５】
温湯タンク２および冷水タンク３は、自動搬送装置５による種籾容器４の移動経路に並べて配置してあり、自動搬送装置５の一端側には、種籾容器４の移動経路内に種籾容器４を搬入し搬出する作業域６を設けてある。作業域６には自動搬送装置５に対して前後方向に種籾容器４を２個並べて置くことができる作業台７を設けてあり、この作業台７の後方側略半分は自動搬送装置５の種籾容器４の移動経路から後方に出ていて、作業台７の後方に載置した種籾容器４は手押し作業によって前方へ移動させることにより自動搬送装置５による種籾容器４の移動経路に挿入することができるようになっている。自動搬送装置５による種籾容器４の移動経路に配置された前記作業域６、温湯タンク２および冷水タンク３はその順に並べて配置されており、温湯タンク２および冷水タンク３は互いに連結されているとともに自動搬送装置５の支脚が温湯タンク２および冷水タンク３に固定されている。
【００１６】
自動搬送装置５は、作業域６、温湯タンク２および冷水タンク３の順に並ぶ種籾容器４の移動経路を跨ぐ架台８上に、前記種籾容器４の移動経路の方向に懸架した駆動チェーン９により往復動する移動台車１０と、移動台車１０に装備された、種籾容器４を吊持して昇降させるための昇降機構１１とで構成されている。駆動チェーン９は、冷水タンク３側の端部に設けられたスプロケット１２と、作業域６側の端部に位置するスプロケット１３間に懸架されており、駆動チェーン９の懸架上側の一端と他端は移動台車１０の前後に連結されていて、駆動チェーン９の回転により移動台車１０がレール１４上を往方向または復方向に移動するようになっている。１５は駆動電動機であって前記スプロケット１２に動力を伝動するものである。
【００１７】
このように種籾容器４を吊持して昇降および移動させる自動搬送装置５は、作業域６、温湯タンク２および冷水タンク３上に跨る単線往復経路を構成しており、作業域６側を往路の移動始点、冷水タンク３側を往路の移動終点とし、作業域６側を復路の移動終点とする制御機能を備えている。
【００１８】
前記自動搬送装置５は、作業域６で種籾容器４を吊持して温湯タンク２による温湯浸漬処理位置、冷水タンク３による冷却処理および作業域６への戻し工程の順に種籾容器４を昇降および移動させる制御機能を備えており、架台８上の作業域６、温湯タンク２および冷水タンク３に対応する位置には、それぞれ位置センサ１６、１７、１８が設けられていて、前記位置センサ１６、１７、１８による移動台車１０の位置感知動作により、移動台車１０をそれぞれの定位置に自動的に停止させる制御機構を構成している。位置センサ１６、１７および１８は、移動台車１０の制御位置に複数のスイッチを設けることにより構成している。
【００１９】
前記移動台車１０には前述のように昇降機構１１が装備されているが、この昇降機構１１の下端には種籾容器４の吊り掛けフック１９を取り付けてある。２０は昇降駆動電動機であって移動台車１０に搭載してある。昇降機構１１の吊り掛けフック１９は、移動台車１０の復路方向に開口する開口部２１が形成されているとともに種籾容器４の吊り掛けアーム２２を一定の掛け位置に誘導する掛け溝２３が形成されているものである。したがって、吊り掛けフック１９にその開口部２１から掛けられた種籾容器４はその掛けアーム２２が掛け溝２３に案内されて定位置に吊り下がるとともに不用意な外れが防止される。
【００２０】
本発明に係る種籾の温湯消毒装置１により種籾の温湯消毒を行うにあたっては、温湯タンク２に張った水または温湯を所定温度に保つように温度制御をする。また冷水タンク３には冷水を張るとともに循環および適宜冷水を補給する冷水管理を行う。消毒する種籾は網袋に詰めるかまたは直に作業域６の作業台７上で種籾容器４に入れ、昇降機構１２の吊り掛けフック１９を種籾容器４の吊り掛けアーム２２に合わせて下げ、移動台車１０の復方向の移動により掛止めたうえ上昇により種籾容器４を吊り下げる。そして、移動台車１０を、作業域６から温湯タンク２上に移動して種籾容器４を温湯タンク２内に降ろして種籾を温湯に浸漬し、移動台車１０は作業域６に戻しておく。
【００２１】
次いで、温湯タンク２による温湯浸漬処理時間が経過した時点で、作業域６に戻されている移動台車１０を作業域６から温湯タンク２上に移動するとともに種籾容器４を吊り上げて冷水タンク３上まで移動し、種籾容器４を冷水タンク３内に降ろして冷水に浸漬し、移動台車１０は再び作業域６に戻しておく。
【００２２】
温湯タンク２による温湯浸漬時間は１０分間、冷水タンク３による冷水浸漬時間は５分間に設定するものとすれば（通常、温湯浸漬時間は１０分間、冷水浸漬時間は５分間が好適である）、種籾の温湯浸漬と冷水浸漬に要する時間は１５分間である。そして、先行する種籾容器４が冷水タンク３に移動すれば、温湯タンク２が空き状態となるので、先行する種籾容器４が温湯タンク２の温湯浸漬継続中に、後行する別の種籾容器４に作業域６の作業台７上で種籾の詰め込み作業を済ませておき、先行する種籾容器４を冷水タンク３に移して作業域６に戻っている移動台車１０により、作業域６から後行する種籾容器４を温水タンク３に移動して温湯浸漬する。
【００２３】
前述のように種籾の温湯浸漬時間は冷水浸漬の２倍であるから、後行する種籾容器４が温湯タンク２の温湯浸漬継続中に先行する種籾容器４の冷水浸漬時間が経過するので、作業域６に戻っている移動台車１０により冷水タンク３から先行する種籾容器４を引き上げて作業域６に移動させ、かつ、浸漬後の種籾を取出して次の温湯浸漬に備え（浸漬前の種籾の詰め込み作業を済ませる）る。そして、先行する種籾容器４が作業域６に移動させた後に後行する種籾容器４の温湯タンク３による温湯浸漬時間が経過するので、作業域６に戻っている移動台車１０により後行する種籾容器４を冷水タンク３に移動させて冷水浸漬し、移動台車１０は作業域６に戻される。
【００２４】
次いで、既に種籾を詰めて待機している先行する種籾容器４を温湯タンク２に移動させて温湯浸漬する。移動台車１０は温湯タンク２の位置から作業域６に戻される。
【００２５】
次いで、冷水タンク３により冷水浸漬中の後行する種籾容器４が冷水浸漬時間を経過するので、作業域６から移動台車１０を冷水タンク３に移動して後行する種籾容器４を作業域６に移動して種籾を取り出し、次の温湯浸漬に備える。以下、２個の種籾容器４を用いてこの作業を繰り返えすことにより、種籾の温湯消毒作業を継続することができる。
【００２６】
本発明に係る種籾の温湯消毒装置１おいては、種籾容器４を吊持して昇降および移動させる自動搬送装置５が、作業域６、温湯タンク２および冷水タンク３上に亘る単線往復経路を構成しているものであり、作業域６側を往路の移動始点、冷水タンク３側を往路の移動終点とし、作業域６側を復路の移動終点とするものであるから、種籾容器４の移動経路は１系統であってそれを往路および復路に使用するものである。しかし、一般的に冷水浸漬時間より温湯浸漬時間の方が長く、この種籾の温湯浸漬とその後の冷水浸漬の経過時間差およびそれぞれの所要時間差を有効に利用することにより、温湯浸漬時間中に種籾容器４を最も離れている冷水タンク３と作業域６間を移動させるようにし、移動による作業時間のロスが少なくできる。しかも単線往復経路のように構成自体が簡素なものであっても作業の進行に滞りがなく、容易にしかも効率的な作業を行うことができるものである。
【００２７】
［発明の実施の第１別形態］
本発明に係る種籾の温湯消毒装置１にあっては、図４に示すように、種籾容器４に代えて遠心脱水機（図示せず）の脱水容器２４を用いることができる。この脱水容器２４は、底面２５が多孔面を成しているとともに下方に開放できるものである。なお図４に示す構成においては、脱水容器２４をホイスト２６により吊持して移動するようになっている。その外の構成は図１ないし図３に示すものと同構成である。
【００２８】
［発明の実施の第２別形態］
本発明に係る種籾の温湯消毒装置１にあっては、種籾容器４は通水性さえあれば、変形可能な袋状のものや、折り畳み自在な容器などでも良い。
また、自動搬送装置５は昇降と移動の機能があれば、［発明を実施するための最良の形態］および［発明の実施の第１別形態］に限定されるものではなく、例えば昇降と移動の機能が別の装置で分担されているもの、種籾容器４をコンベア搬送するもの、種籾容器４が所望の位置にガイドされるもの、種籾容器４を挟んだり下部から支えたりして支持し、その部材が昇降して所望の位置に移動させるものなどでも良い。
【符号の説明】
【００２９】
１ 種籾の温湯消毒装置
２ 温湯タンク
３ 冷水タンク
４ 種籾容器
５ 自動搬送装置
６ 作業域
７ 作業台
８ 架台
９ 駆動チェーン
１０ 移動台車
１１ 昇降機構
１２ スプロケット
１３ スプロケット
１４ レール
１５ 駆動電動機
１６，１７，１８ 位置センサ
１９ 吊り掛けフック
２０ 昇降駆動電動機
２１ 開口部
２２ 吊り掛けアーム
２３ 掛け溝
２４ 脱水容器
２５ 底面
２６ ホイスト
【図１】
2011250807.tif 000003
【図２】
2011250807.tif 000004
【図３】
2011250807.tif 000005
【図４】
2011250807.tif 000006
【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
種籾を温湯に浸して病原菌を死滅ないし不活化するべく、  種籾を温湯に浸す温湯タンクと、温湯に浸した種籾を冷水に浸す冷水タンクと、種籾を収容する通水性の種籾容器と、前記種籾容器を昇降および移動させる自動搬送装置とで構成され、前記温湯タンクおよび冷水タンクを自動搬送装置による種籾容器の移動経路に並べて配置してあり、前記自動搬送装置の一端側に、前記種籾容器の移動経路内に種籾容器を搬入し搬出する作業域を設けた温湯消毒装置を用いた種籾の温湯消毒方法であり、 前記自動搬送装置により前記作業域において前記種籾容器を吊持して前記温湯タンク内で温湯消毒処理をし、次いで前記冷水タンク内で冷却処理をし、前記作業域側を往路の移動始点、前記冷水タンク側を往路の移動終点となるように制御することを特徴とする種籾の温湯消毒方法。
【請求項２】
種籾を温湯に浸して病原菌を死滅ないし不活化するべく、  種籾を温湯に浸す温湯タンクと、温湯に浸した種籾を冷水に浸す冷水タンクと、種籾を収容する通水性の種籾容器と、前記種籾容器を昇降および移動させる自動搬送装置とで構成され、前記温湯タンクおよび冷水タンクを自動搬送装置による種籾容器の移動経路に並べて配置してあり、前記自動搬送装置は、作業域、前記温湯タンクおよび冷水タンク上に亘る単線往復経路を構成した温湯消毒装置を用いた種籾の温湯消毒方法であり、 前記自動搬送装置により前記作業域において前記種籾容器を吊持して前記温湯タンク内で温湯消毒処理をし、次いで前記冷水タンク内で冷却処理をし、往路は前記作業域側を移動始点、前記冷水タンク側を移動終点とし、復路は前記冷水タンク側を移動始点、前記作業域側を移動終点とする制御を行うことを特徴とする種籾の温湯消毒方法。
【請求項３】
前記自動搬送装置による種籾容器の移動経路に沿って、前記作業域、前記温湯タンクおよび前記冷水タンクの順に並べて配置した温湯消毒装置を用いて種籾を温湯消毒処理し、冷却処理することを特徴とする請求項１または２記載の種籾の温湯消毒方法。
【手続補正２】
【補正対象書類名】明細書
【補正対象項目名】全文
【補正方法】変更
【補正の内容】
【発明の詳細な説明】
【技術分野】
【０００１】  本発明は、種籾を温湯に浸して病原菌を死滅ないし不活化する種籾の温湯消毒装置を用いて種籾を温湯消毒する温湯消毒方法に関するものである。
【背景技術】
【０００２】  種籾には、いもち病菌、糸状菌、苗立枯細菌病菌、ごま葉枯病菌、褐条病菌、もみ枯細菌病菌などの病原菌が表面に付着しまたは籾殻と果皮との間に潜んでいる。従来、種籾を所定温度の温湯に所定時間浸すことにより、種籾の表面に付着しまたは籾殻と果皮との間に潜む病原菌を死滅ないしは不活化（以下、消毒という）する装置であって、温湯浸漬のための種籾容器に種籾を詰め込む工程、種籾を種籾容器ごと温湯に浸漬する工程、温湯浸漬した種籾を種籾容器ごと冷水に浸漬して冷却する工程、冷却した種籾を水切りして種籾容器から取り出す工程を一連処理する種籾の温湯消毒装置としては、特開２００６−４２７４５公報、特開２００６−１５８３０２公報、特開２００５−５２０２３公報および特開２００５−３２８７２３公報に記載されているものなどが知られている。【０００３】  また、種籾を収容した種籾容器を自走クレーンで吊り下げて温湯タンクに出し入れする種籾の温湯消毒装置は、特開平１１−３１８１１８号公報または特開２００２−３２５５０５公報、特開２００３−２３５３０８公報、特開２００４−９０公報および特開２００４−２９００１１公報に記載されている。
【先行技術文献】
【特許文献】
【０００４】
【特許文献１】特開２００６−４２７４５公報
【特許文献２】特開２００６−１５８３０２公報
【特許文献３】特開２００５−５２０２３公報
【特許文献４】特開２００５−３２８７２３公報
【特許文献５】特開平１１−３１８１１８号公報
【特許文献６】特開２００２−３２５５０５公報
【特許文献７】特開２００３−２３５３０８公報
【特許文献８】特開２００４−９０公報
【特許文献９】特開２００４−２９００１１公報
【発明の概要】
【発明が解決しようとする課題】
【０００５】  前掲の特許文献１ないし４、または特許文献５ないし９に記載されている従来の種籾の温湯消毒装置においては、種籾を種籾容器に詰め込む作業を行う作業領域と、温湯消毒処理を終えた種籾を種籾容器から取り出す作業を行う作業領域が互いに反対側となるように離れているので、種籾の温湯消毒装置を設置する建屋内の配置上、２箇所にわたる作業領域と作業者がそこへ出入りするための通路やスペースなどを必要として、種籾の温湯消毒装置を設備する建屋の有効利用がはかれず、また作業領域が離れているところから、２箇所の作業領域にそれぞれ作業者の配置を要したり、また作業者の作業行動も非効率となるなどの問題点が指摘されていた。【０００６】  そこで本発明は、このような従来の問題点を解消しようとするものであって、建屋内における配置が容易な温湯消毒装置を用いて種籾を温湯消毒する温湯消毒方法であり、少ない作業者数で種籾容器の搬入と搬出などの作業を効率的に行うことができる種籾の温湯消毒方法を提供することを目的とするものである。
【課題を解決するための手段】
【０００７】  上記目的を達成するため、本発明の第１特徴は、種籾を温湯に浸して病原菌を死滅ないし不活化する種籾の温湯消毒方法において、次のように構成することにある。  種籾を温湯に浸す温湯タンクと、温湯に浸した種籾を冷水に浸す冷水タンクと、種籾を収容する通水性の種籾容器と、種籾容器を昇降および移動させる自動搬送装置とで構成され、温湯タンクおよび冷水タンクを自動搬送装置による種籾容器の移動経路に並べて配置してあり、自動搬送装置の一端側に、種籾容器の移動経路内に種籾容器を搬入し搬出する作業域を設けた温湯消毒装置を用いた種籾の温湯消毒方法であり、 自動搬送装置により作業域において種籾容器を吊持して温湯タンク内で温湯消毒処理をし、次いで冷水タンク内で冷却処理をし、作業域側を往路の移動始点、冷水タンク側を往路の移動終点となるように制御することを特徴としている。【０００８】  上記目的を達成するため、本発明の第２特徴は、種籾を温湯に浸して病原菌を死滅ないし不活化する種籾の温湯消毒方法において、次のように構成することにある。  種籾を温湯に浸す温湯タンクと、温湯に浸した種籾を冷水に浸す冷水タンクと、種籾を収容する通水性の種籾容器と、種籾容器を昇降および移動させる自動搬送装置とで構成され、温湯タンクおよび冷水タンクを自動搬送装置による種籾容器の移動経路に並べて配置してあり、自動搬送装置は、作業域、温湯タンクおよび冷水タンク上に亘る単線往復経路を構成した温湯消毒装置を用いた種籾の温湯消毒方法であり、 自動搬送装置により作業域において種籾容器を吊持して温湯タンク内で温湯消毒処理をし、次いで冷水タンク内で冷却処理をし、往路は作業域側を移動始点、冷水タンク側を往路の移動終点とし、復路は冷水タンク側を移動始点、作業域側を移動終点となるように制御することを特徴としている。【０００９】  本発明の第３特徴は、本発明の第１または第２特徴の種籾の温湯消毒方法において次のように構成することにある。  自動搬送装置による種籾容器の移動経路に沿って、作業域、温湯タンクおよび冷水タンクの順に並べて配置した温湯消毒装置を用いて種籾を温湯消毒処理し冷却処理をする。
【発明の効果】
【００１０】  本発明の第１特徴によると、種籾容器を昇降および移動させる自動搬送装置の一端側に種籾容器の移動経路内に種籾容器を搬入し搬出する作業域を設けた温湯消毒装置を用いることにより、建屋内における配置が容易で、しかも作業者による作業領域を１箇所にまとめて少ない作業者数で種籾容器の搬入と搬出などの作業を効率的に行うことができる。【００１１】 本発明の第２特徴によると、種籾容器が単線往復系路上を移動することになり、装置の構成が簡素なものになるため、作業の進行に滞りがなく容易に効率的な作業を行うことができる。【００１２】  本発明の第３特徴によると、本発明の第１特徴と同様に前項に記載の「発明の効果」を備えており、これに加えて以下のような「発明の効果」を備えている。  本発明の第３特徴によると、例えば、冷水浸漬時間と温湯浸漬時間とが異なるような場合には、温湯浸漬時間中に種籾容器を冷水タンクと作業域との間を移動させることが可能となり、効率的な作業を行うことができる。
【図面の簡単な説明】
【００１３】
【図１】本発明に用いる一実施の形態に係る種籾の温湯消毒装置を示す全体斜視図である。
【図２】同上正面図である。
【図３】同上種籾容器を温湯タンク内に降ろした態様を示す正面図である。
【図４】本発明に用いる実施の第１別形態に係る種籾の温湯消毒装置を示す正面図である。
【発明を実施するための形態】
【００１４】  図１は本発明の温湯消毒方法に用いる一実施の形態に係る種籾の温湯消毒装置を示す全体斜視図、図２は同上正面図、図３は同上種籾容器を温湯タンク内に降ろした態様を示す正面図、図４は本発明の他の実施の形態に係る種籾の温湯消毒装置を示す正面図である。
【００１５】  本発明の温湯消毒方法に用いられる種籾の温湯消毒装置１は、種籾を温湯に浸す温湯タンク２と、温湯に浸した種籾を冷水に浸す冷水タンク３と、種籾を収容する通水性の種籾容器４と、種籾容器４を吊持して昇降および移動させる自動搬送装置５とで構成されている。
【００１６】  温湯タンク２および冷水タンク３は、自動搬送装置５による種籾容器４の移動経路に並べて配置してあり、自動搬送装置５の一端側には、種籾容器４の移動経路内に種籾容器４を搬入し搬出する作業域６を設けてある。作業域６には自動搬送装置５に対して前後方向に種籾容器４を２個並べて置くことができる作業台７を設けてあり、この作業台７の後方側略半分は自動搬送装置５の種籾容器４の移動経路から後方に出ていて、作業台７の後方に載置した種籾容器４は手押し作業によって前方へ移動させることにより自動搬送装置５による種籾容器４の移動経路に挿入することができるようになっている。自動搬送装置５による種籾容器４の移動経路に配置された前記作業域６、温湯タンク２および冷水タンク３はその順に並べて配置されており、温湯タンク２および冷水タンク３は互いに連結されているとともに自動搬送装置５の支脚が温湯タンク２および冷水タンク３に固定されている。
【００１７】  自動搬送装置５は、作業域６、温湯タンク２および冷水タンク３の順に並ぶ種籾容器４の移動経路を跨ぐ架台８上に、前記種籾容器４の移動経路の方向に懸架した駆動チェーン９により往復動する移動台車１０と、移動台車１０に装備された、種籾容器４を吊持して昇降させるための昇降機構１１とで構成されている。駆動チェーン９は、冷水タンク３側の端部に設けられたスプロケット１２と、作業域６側の端部に位置するスプロケット１３間に懸架されており、駆動チェーン９の懸架上側の一端と他端は移動台車１０の前後に連結されていて、駆動チェーン９の回転により移動台車１０がレール１４上を往方向または復方向に移動するようになっている。１５は駆動電動機であって前記スプロケット１２に動力を伝動するものである。
【００１８】  このように種籾容器４を吊持して昇降および移動させる自動搬送装置５は、作業域６、温湯タンク２および冷水タンク３上に跨る単線往復経路を構成しており、作業域６側を往路の移動始点、冷水タンク３側を往路の移動終点とし、作業域６側を復路の移動終点とする制御機能を備えている。
【００１９】  前記自動搬送装置５は、作業域６で種籾容器４を吊持して温湯タンク２による温湯浸漬処理位置、冷水タンク３による冷却処理および作業域６への戻し工程の順に種籾容器４を昇降および移動させる制御機能を備えており、架台８上の作業域６、温湯タンク２および冷水タンク３に対応する位置には、それぞれ位置センサ１６、１７、１８が設けられていて、前記位置センサ１６、１７、１８による移動台車１０の位置感知動作により、移動台車１０をそれぞれの定位置に自動的に停止させる制御機構を構成している。位置センサ１６、１７および１８は、移動台車１０の制御位置に複数のスイッチを設けることにより構成している。
【００２０】  前記移動台車１０には前述のように昇降機構１１が装備されているが、この昇降機構１１の下端には種籾容器４の吊り掛けフック１９を取り付けてある。２０は昇降駆動電動機であって移動台車１０に搭載してある。昇降機構１１の吊り掛けフック１９は、移動台車１０の復路方向に開口する開口部２１が形成されているとともに種籾容器４の吊り掛けアーム２２を一定の掛け位置に誘導する掛け溝２３が形成されているものである。したがって、吊り掛けフック１９にその開口部２１から掛けられた種籾容器４はその掛けアーム２２が掛け溝２３に案内されて定位置に吊り下がるとともに不用意な外れが防止される。
【００２１】  本発明の温湯消毒方法に用いられる種籾の温湯消毒装置１により種籾の温湯消毒を行うにあたっては、温湯タンク２に張った水または温湯を所定温度に保つように温度制御をする。また冷水タンク３には冷水を張るとともに循環および適宜冷水を補給する冷水管理を行う。消毒する種籾は網袋に詰めるかまたは直に作業域６の作業台７上で種籾容器４に入れ、昇降機構１２の吊り掛けフック１９を種籾容器４の吊り掛けアーム２２に合わせて下げ、移動台車１０の復路方向の移動により掛止めたうえ上昇により種籾容器４を吊り下げる。そして、移動台車１０を、作業域６から温湯タンク２上に移動して種籾容器４を温湯タンク２内に降ろして種籾を温湯に浸漬し、移動台車１０は作業域６に戻しておく。
【００２２】  次いで、温湯タンク２による温湯浸漬処理時間が経過した時点で、作業域６に戻されている移動台車１０を作業域６から温湯タンク２上に移動するとともに種籾容器４を吊り上げて冷水タンク３上まで移動し、種籾容器４を冷水タンク３内に降ろして冷水に浸漬し、移動台車１０は再び作業域６に戻しておく。
【００２３】  温湯タンク２による温湯浸漬時間は１０分間、冷水タンク３による冷水浸漬時間は５分間に設定するものとすれば（通常、温湯浸漬時間は１０分間、冷水浸漬時間は５分間が好適である）、種籾の温湯浸漬と冷水浸漬に要する時間は１５分間である。そして、先行する種籾容器４が冷水タンク３に移動すれば、温湯タンク２が空き状態となるので、先行する種籾容器４が温湯タンク２の温湯浸漬継続中に、後行する別の種籾容器４に作業域６の作業台７上で種籾の詰め込み作業を済ませておき、先行する種籾容器４を冷水タンク３に移して作業域６に戻っている移動台車１０により、作業域６から後行する種籾容器４を温水タンク３に移動して温湯浸漬する。
【００２４】  前述のように種籾の温湯浸漬時間は冷水浸漬の２倍であるから、後行する種籾容器４が温湯タンク２の温湯浸漬継続中に先行する種籾容器４の冷水浸漬時間が経過するので、作業域６に戻っている移動台車１０により冷水タンク３から先行する種籾容器４を引き上げて作業域６に移動させ、かつ、浸漬後の種籾を取出して次の温湯浸漬に備え（浸漬前の種籾の詰め込み作業を済ませる）る。そして、先行する種籾容器４が作業域６に移動させた後に後行する種籾容器４の温湯タンク３による温湯浸漬時間が経過するので、作業域６に戻っている移動台車１０により後行する種籾容器４を冷水タンク３に移動させて冷水浸漬し、移動台車１０は作業域６に戻される。
【００２５】  次いで、既に種籾を詰めて待機している先行する種籾容器４を温湯タンク２に移動させて温湯浸漬する。移動台車１０は温湯タンク２の位置から作業域６に戻される。
【００２６】  次いで、冷水タンク３により冷水浸漬中の後行する種籾容器４が冷水浸漬時間を経過するので、作業域６から移動台車１０を冷水タンク３に移動して後行する種籾容器４を作業域６に移動して種籾を取り出し、次の温湯浸漬に備える。以下、２個の種籾容器４を用いてこの作業を繰り返えすことにより、種籾の温湯消毒作業を継続することができる。
【００２７】  本発明の温湯消毒方法に用いられる種籾の温湯消毒装置１おいては、種籾容器４を吊持して昇降および移動させる自動搬送装置５が、作業域６、温湯タンク２および冷水タンク３上に亘る単線往復経路を構成しているものであり、作業域６側を往路の移動始点、冷水タンク３側を往路の移動終点とし、作業域６側を復路の移動終点とするものであるから、種籾容器４の移動経路は１系統であってそれを往路および復路に使用するものである。しかし、一般的に冷水浸漬時間より温湯浸漬時間の方が長く、この種籾の温湯浸漬とその後の冷水浸漬の経過時間差およびそれぞれの所要時間差を有効に利用することにより、温湯浸漬時間中に種籾容器４を最も離れている冷水タンク３と作業域６間を移動させるようにし、移動による作業時間のロスが少なくできる。しかも単線往復経路のように構成自体が簡素なものであっても作業の進行に滞りがなく、容易にしかも効率的な作業を行うことができるものである。
【００２８】  本発明の温湯消毒方法に用いられる種籾の温湯消毒装置１の第１別形態にあっては、図４に示すように、種籾容器４に代えて遠心脱水機（図示せず）の脱水容器２４を用いることができる。この脱水容器２４は、底面２５が多孔面を成しているとともに下方に開放できるものである。なお図４に示す構成においては、脱水容器２４をホイスト２６により吊持して移動するようになっている。その外の構成は図１ないし図３に示すものと同構成である。
【００２９】  本発明の温湯消毒方法に用いられる種籾の温湯消毒装置１の第２別形態にあっては、種籾容器４は通水性さえあれば、変形可能な袋状のものや、折り畳み自在な容器などでも良い。  また、自動搬送装置５は昇降と移動の機能があれば、［発明を実施するための形態］および上記第１別形態の具体的形態のみに限定されるものではなく、例えば昇降と移動の機能が別の装置で分担されているもの、種籾容器４をコンベア搬送するもの、種籾容器４が所望の位置にガイドされるもの、種籾容器４を挟んだり下部から支えたりして支持し、その部材が昇降して所望の位置に移動させるものなどでも良い。
【符号の説明】
【００３０】１  種籾の温湯消毒装置２  温湯タンク３  冷水タンク４  種籾容器５  自動搬送装置６  作業域７  作業台８  架台９  駆動チェーン１０  移動台車１１  昇降機構１２  スプロケット１３  スプロケット１４  レール１５  駆動電動機１６，１７，１８  位置センサ１９  吊り掛けフック２０  昇降駆動電動機２１  開口部２２  吊り掛けアーム２３  掛け溝２４  脱水容器２５  底面２６  ホイスト
【手続補正３】
【補正対象書類名】図面
【補正対象項目名】図１
【補正方法】変更
【補正の内容】
【図１】
2011250807.tif 000007